(57)【要約】【課題】大風量の空気を供給する場合でも、空気調整室の底面に設置されている加湿器によって湿度を精度よく調整することができる空気調和機を提供すること。【解決手段】空気調和機１は矩形箱状の空気調整室１４を備えている。空気調整室１４内には温度調整部と湿度調整部が配置されており、湿度調整部は底面１２ａに設置されている加湿水槽３０で加湿を行う加湿器２３を備える。温度調整部と湿度調整部の間には空気流路を部分的に仕切る門形状の仕切り部材２４が配置されている。大風量の空気を供給する際に空気調整室１４の前面部分５ａの空気吸込口２から吸い込まれた空気が背面部分６ａに衝突した後に側面部分７ａ、８ａに沿って逆流しようとすると、この逆流は仕切り部材２４によって阻まれる。また、温度調整部を通過した空気は仕切り部材２４によって底面１２ａ側の加湿水槽３０近傍に案内されるので、温度、湿度を精度よく調整できる。【選択図】図３
2009063242.tif 000002
【特許請求の範囲】
【請求項１】
矩形箱状の空気調整室の前面側に形成されている空気吸込口から吸い込まれた空気を、この空気調整室内に配置されている温度調整部および湿度調整部を順次に経由して流して、当該空気の温度および湿度を順次に調整し、調整後の空気を前記空気調整室の背面側に形成されている空気吹出口から吹き出す空気調和機において、
前記空気調整室内における前記温度調整部と前記湿度調整部の間の空気通路を部分的に仕切っている仕切り部材を有し、
前記湿度調整部は、前記空気調整室の底面に配置した加湿水槽およびこの加湿水槽に貯留させた水を加熱するための電熱ヒータを備える加湿器を有しており、
前記仕切り部材は、前記底面から前記空気調整室の天井面に至る長さで前記空気調整室の左右の側面から突出している左右の縦仕切り部分と、これら左右の縦仕切り部分の上端部分の間に掛け渡されており前記天井面から前記底面に向けて突出している横仕切り部分を備えており、
前記左右の縦仕切り部分の間および前記横仕切り部分の底面側を通って空気が流れることを特徴とする空気調和機。
【請求項２】
請求項１に記載の空気調和機において、
前記横仕切り部分の少なくとも一部の領域は、空気通過用の複数の貫通孔が形成されている孔開き領域であることを特徴とする空気調和機。
【請求項３】
請求項２に記載の空気調和機において、
前記孔開き領域は、前記横仕切り部分の前記底面側に形成されていることを特徴とする空気調和機。
【請求項４】
請求項２または３に記載の空気調和機において、
前記孔開き領域の開口率は５０％であることを特徴とする空気調和機。
【請求項５】
請求項２ないし４のうちのいずれかの項に記載の空気調和機において、
前記横仕切り部分を前記背面側から見た平面形状は矩形であり、
前記横仕切り部分の前記天井面からの突出寸法は、前記加湿水槽の上端開口部から前記天井面までの寸法に対して６０％±１５％の寸法であり、
前記孔開き領域は、前記横仕切り部分の前記底面側の端から、前記突出寸法に対して６０％±１５％の寸法までの領域であることを特徴とする空気調和機。
【請求項６】
請求項２ないし５のうちのいずれかの項に記載の空気調和機において、
各貫通孔の直径は５ｃｍ±２ｃｍであることを特徴とする空気調和機。
【請求項７】
請求項１ないし６のうちのいずれかの項に記載の空気調和機において、
前記横仕切り部分は、空気の流れ方向に直交する方向に対して下流側に傾斜している第１斜面を備えていることを特徴とする空気調和機。
【請求項８】
請求項１ないし７のうちのいずれかの項に記載の空気調和機において、
前記加湿水槽の上端開口部は矩形であり、その上端開口部の左右の開口縁は前記左右の側面と平行になるように設置されており、
前記右側の縦仕切り部分は前記右側の開口縁よりも前記空気調整室の内側まで突出しており、前記左側の縦仕切り部分は前記左側の開口縁よりも前記空気調整室の内側まで突出していることを特徴とする空気調和機。
【請求項９】
請求項１ないし８のうちのいずれかの項に記載の空気調和機において、
各縦仕切り部分は、空気の流れ方向に直交する方向に対して下流側に傾斜している第２斜面を備えていることを特徴とする空気調和機。
【請求項１０】
請求項１ないし９のうちのいずれかの項に記載の空気調和機において、
前記温度調整部は、前記前面部分に形成されている前記空気吸込口に対峙する位置に配置された蒸発器と、この蒸発器の背面側に配置したヒータとを備えていることを特徴とする空気調和機。
【発明の詳細な説明】
【技術分野】
【０００１】
本発明は、空気吸込口から吸い込んだ空気の温度および湿度を空気調整室内で調整して、空気吹出口から供給する空気調和機に関する。更に詳しくは、大風量の空気を供給する場合であっても、空気調整室の底面に設置された加湿器によって湿度を精度よく調整することができる空気調和機に関する。
【背景技術】
【０００２】
空気調和機は、空気吸込口から吸込んだ空気の温度および湿度を調整して、所望の温度および湿度を備えた空気を空気吹出口から供給するものである。空気調和機は略矩形箱状の空気調整室を備えており、この前板に空気吸込口が形成され、背板側に空気吹出口が形成されている。空気調整室内には、蒸発器および加熱器を備える温度調整部と、加湿器を備える湿度調整部が配置されており、空気吸込口から吸い込まれた空気は温度調整部および湿度調整部を順次に経由して流されることにより、温度および湿度が順次に調整されるようになっている。このような空気調和機は特許文献１、２に記載されている。
【０００３】
特許文献１、２の空気調和機では、空気調整室内に床板から天井板に向かって突出して空気調整室内を部分的に仕切る第１気流案内板と、第１気流案内板よりも背板側において天井板から床板に向かって突出して空気調整室内を部分的に仕切る第２気流案内板が互い違いに配置されている。
【０００４】
これらの空気調和機では第１および第２気流案内板によって空気流路が蛇行するように構成されているので、温度および湿度が調整された後の空気が空気調整室内を逆流して、それらの調整前の空気と入り乱れてしまうことがない。また、温度調整後の空気が第２気流案内板によって空気調整室の底板側に案内されているので、底板に配置されている加湿器によって十分な加湿を行うことができる。従って、温度および湿度を精度よく制御することができる。
【特許文献１】特開平１０−２８１４９７号公報
【特許文献２】特開平１０−２８８３５５号公報
【発明の開示】
【発明が解決しようとする課題】
【０００５】
しかし、第１および第２気流案内板を互い違いに配置して空気流路を蛇行させた場合には、流路面積が狭くなり、流路抵抗が増加するので、大流量の空気を流通させることが困難である。例えば、２ｍ3／ｍｉｎ程度の風量の場合には問題はないが、２０ｍ3／ｍｉｎ程の大風量には対応することが困難になる。
【０００６】
大風量の要求に対応するためにこれらの気流案内板を省略すると、空気吸込口から勢いよく吸い込まれる空気は、加湿器の近傍を通過することなく空気吹出口に向かってしまうので、十分な加湿が行われないという問題がある。
【０００７】
また、これらの気流案内板を省略すると、空気調整室が矩形箱状をしているので、空気吸込口から吸い込まれる空気は背板に勢いよく衝突し、衝突した空気が左右の側板に沿って再び前板側に戻る大きな渦流が形成されるようになる。こうなると、空気調整室内を前板から背板側へと向かう空気の流れは大きく乱されるので、温度や湿度が調整された後の空気とこれらが調整される前の空気とが入り乱れてしまい、温度や湿度の制御精度が低下してしまうという問題がある。
【０００８】
本発明の課題は、このような点に鑑みて、大風量の空気を供給する場合であっても、空気調整室の底面に設置された加湿器によって湿度を精度よく調整することができる空気調和機を提供することにある。
【０００９】
また、空気調整室内の気流の乱れを抑制することにより、大流量の空気を流通させる場合でも温度および湿度を精度よく調整することができる空気調和機を提供することにある。
【課題を解決するための手段】
【００１０】
上記の課題を解決するために、本発明は、
矩形箱状の空気調整室の前面側に形成されている空気吸込口から吸い込まれた空気を、この空気調整室内に配置されている温度調整部および湿度調整部を順次に経由して流して、当該空気の温度および湿度を順次に調整し、調整後の空気を前記空気調整室の背面側に形成されている空気吹出口から吹き出す空気調和機において、
前記空気調整室内における前記温度調整部と前記湿度調整部の間の空気通路を部分的に仕切っている仕切り部材を有し、
前記湿度調整部は、前記空気調整室の底面に配置した加湿水槽およびこの加湿水槽に貯留させた水を加熱するための電熱ヒータを備える加湿器を有しており、
前記仕切り部材は、前記底面から前記空気調整室の天井面に至る長さで前記空気調整室の左右の側面から突出している左右の縦仕切り部分と、これら左右の縦仕切り部分の上端部分の間に掛け渡されており前記天井面から前記底面に向けて突出している横仕切り部分を備えており、
前記左右の縦仕切り部分の間および前記横仕切り部分の底面側を通って空気が流れることを特徴とする。
【００１１】
本発明によれば、仕切り部材は左右の側面から突出している左右の縦仕切り部分を備えているので、空気吸込口から勢いよく吸い込まれた空気が空気調整室の背面に衝突した後に側面に沿って逆流しようとすると、縦仕切り部材によってその逆流は阻止される。従って、空気調整室内において大きな渦流が形成されることがなく、温度調整部および湿度調整部を経由して空気吹出口に向かう空気の流れが乱されることが防止あるいは抑制される。この結果、温度および湿度調整後の空気が調整前の空気と入り混じってしまうことを抑制できるので、大風量の空気を供給する場合においても、温度および湿度の制御精度を良好に維持できる。
【００１２】
また、本発明によれば、仕切り部材は天井面から底面に向って突出している横仕切り部分を備えているので、温度調整部を通過した後の空気は底面側へと向う。この結果、温度調整後の空気が加湿水槽近傍を経由して流れるので、大風量の空気を供給する場合においても、底面に配置されている加湿器によって精度よく加湿することができる。
【００１３】
ここで、仕切り部材によって空気流路の面積を絞った場合においても大風量の空気を流通させることを可能にするためには、前記横仕切り部分の少なくとも一部の領域は、空気通過用の複数の貫通孔が形成されている孔開き領域であることが望ましい。例えば、前記孔開き領域は、前記横仕切り部分の前記底面側に形成されていることが望ましい。
【００１４】
また、大風量の空気を流通させることを可能にするためには、前記孔開き領域の開口率は５０％であることが望ましい。
【００１５】
本発明において、大風量の空気を流通させることを可能としながら、底面に設置されている加湿器によって適切な加湿を行うためには、前記横仕切り部分を前記背面側から見た平面形状は矩形であり、前記横仕切り部分の前記天井面からの突出寸法は、前記加湿水槽の上端開口部から前記天井面までの寸法に対して６０％±１５％の寸法であり、前記孔開き領域は、前記横仕切り部分の前記底面側の端から、前記突出寸法に対して６０％±１５％の寸法までの領域であることが望ましい。
【００１６】
また、空気通過用の貫通孔を介して大風量の空気が流通するようにするためには、各貫通孔の直径は５ｃｍ±２ｃｍであることが望ましい。
【００１７】
本発明において、温度調整部を通過した後の空気を横仕切り部分に正面衝突させることなく底面側の加湿器に向けて案内するためには、前記横仕切り部分は、空気の流れ方向に直交する方向に対して下流側に傾斜している第１斜面を備えていることが望ましい。
【００１８】
本発明において、温度調整部を通過した後の空気が加湿器の加湿水槽の上端開口部の上方を通過するように案内するためには、前記加湿水槽の上端開口部は矩形であり、その上端開口部の左右の開口縁は前記左右の側面と平行になるように設置されており、前記右側の縦仕切り部分は前記右側の開口縁よりも前記空気調整室の内側まで突出しており、前記左側の縦仕切り部分は前記左側の開口縁よりも前記空気調整室の内側まで突出していることが望ましい。
【００１９】
本発明において、温度調整部を通過した後の空気が縦仕切り部分に正面衝突して空気調整室内の気流を乱してしまうことを回避するためには、各縦仕切り部分は、空気の流れ方向に直交する方向に対して下流側に傾斜している第２斜面を備えていることが望ましい。
【００２０】
なお、本発明において、前記温度調整部は、前記前面部分に形成されている前記空気吸込口に対峙する位置に配置された蒸発器と、この蒸発器の背面側に配置したヒータとを備えたものとすることができる。
【発明の効果】
【００２１】
本発明の空気調和機によれば、仕切り部分は左右の側面から突出している左右の縦仕切り部分を備えているので、空気吸込口から勢いよく吸い込まれた空気が空気調整室の背面に衝突した後に側面に沿って逆流しようとすると、縦仕切り部材によってその逆流は阻止される。従って、空気調整室内において大きな渦流が形成されることがなく、温度調整部および湿度調整部を経由して空気吹出口に向かう空気の流れが乱されることが防止あるいは抑制される。この結果、温度および湿度調整後の空気が調整前の空気と入り混じってしまうことを抑制できるので、大風量の空気を供給する場合においても、温度および湿度の制御精度を良好に維持できる。
【００２２】
また、仕切り部分は天井面から底面に向って突出している横仕切り部分を備えているので、温度調整部を通過した後の空気は底面側へと向う。この結果、温度調整後の空気が加湿水槽近傍を経由して流れるので、大風量の空気を供給する場合においても、底面に配置されている加湿器によって精度よく加湿することができる。
【発明を実施するための最良の形態】
【００２３】
以下に、図面を参照して本発明を適用した空気調和機の実施の形態を説明する。図１は空気調和機の斜視図であり、一方の側板を取り外して内部の構造が分かるようにしてある。図２は空気調整室内の加湿器および仕切り部を背面部分側から見た平面図である。
【００２４】
空気調和機１は、空気吸込口２から吸込んだ空気の温度および湿度を調整して所望の温度および湿度を備えた空気を空気供給口３から供給するものである。空気調和機１は直方体形状の筺体４を備えており、この筐体４は、前板５、背板６、左右の側板７、８、天井板９、および底板１０によって規定されている。筐体４の内部は上下２枚の区画板１１、１２によって３つの矩形箱状の部屋に区画されている。
【００２５】
上段の部屋は送風機が設置されている送風機室１３となっている。中段の部屋は、空気吸込口２から吸込んだ空気の温度および湿度を調整するための空気調整室１４となっている。下段の部屋は機械類が配置されている機械室１５となっている。なお、以下の説明では、前板５の内側表面のうち空気調整室１４に面している部分を前面部分５ａ、背板６の内側表面のうち空気調整室１４に面している部分を背面部分６ａ、左右の側板７、８の内側表面のうち空気調整室１４に面している部分を左右の側面部分７ａ、８ａ、上側の区画板１１の空気調整室１４に面している部分を天井面１１ａ、下側の区画板１２の空気調整室１４に面している部分を底面１２ａという。
【００２６】
空気吸込口２は前板５に形成されており、空気供給口３は天井板９の背板６側の部位に形成されている。送風機室１３および空気調整室１４を仕切っている区画板１１の背面部分６ａに近い部位には送風機室１３と空気調整室１４とを連通させる連通口（空気吹出口）１６が形成されている。
【００２７】
送風機室１３には送風機としてシロッコファン２０が配置されている。空気調整室１４には前面部分５ａから背面部分６ａに向かって温度調整部と湿度調整部とがこの順番で配置されている。温度調整部は蒸発器２１および加熱器２２を備えており、湿度調整部は加湿器２３を備えている。温度調整部と湿度調整部との間にはこの空気調整室１４の内部を左右の両側および上側から部分的に仕切っている仕切り部材２４が取り付けられている。加湿器２３と背面部分６ａとの間には封鎖板２５が取り付けられている。機械室１５には制御装置２６、凝縮器２７、圧縮器２８などが配置されている。
【００２８】
シロッコファン２０が動作すると送風機室１３および空気調整室１４の内部に負圧が発生して空気吸込口２から空気が吸い込まれる。吸い込まれた空気は蒸発器２１によって露点温度まで冷却されて除湿され、加熱器２２によって目的とする温度に温められる。その後、加湿器２３によって目的とする湿度に加湿される。温度および湿度が調整された空気は連通口１６を介して空気供給口３に至り、そこから外部へ供給される。
【００２９】
蒸発器２１は、前面部分５ａにおける空気吸込口２と対峙しており、この空気吸込口２の全体を覆うように設置されている。蒸発器２１は狭い間隔で並べたプレート状のフィンを冷却管が貫通する構成のものであり、冷却管には冷媒が蒸発しながら流れている。空気吸込口２から吸い込まれた空気はこのフィンの間を通過する間に冷媒との間で熱交換が行われて、冷却されて、除湿される。
【００３０】
加熱器２２は、フィンを備える電熱ヒータである。加熱器２２は空気供給口３の近傍に設置された温度湿度センサ２９からの温度信号に基づいて、制御装置２６によって制御されている。
【００３１】
加湿器２３は、水蒸気を発生させるための扁平な加湿水槽３０を備えており、この加湿水槽３０が底面１２ａの背面部分６ａに近い部位に載置されている。加湿水槽３０の上端開口部３０ａは矩形であり、その上端開口部３０ａの左右の開口縁３０ｂ、３０ｃは左右の側面部分７ａ、８ａと平行になるように配置されている。また、加湿水槽３０は空気調整室１４内の幅方向の中央位置に配置されている。加湿水槽３０の内部には電熱ヒータ３１が設けられている。電熱ヒータ３１は温度湿度センサ２９からの湿度信号に基づいて制御装置２６によって制御されており、電熱ヒータ３１が駆動されると、そこに貯留されている純水を加熱して水蒸気を発生させて、加湿する。ここで、純水を加湿水槽３０に供給するための給水管３２が、筐体４の外部から機械室１５を介して、底面１２ａを貫通して、加湿水槽３０の内側まで配管されている。
【００３２】
次に、仕切り部材２４は、図１、２に示すように、全体として門形状をした平板であり、底面１２ａ、天井面１１ａおよび左右の側面部分７ａ、８ａと直交するように取り付けられている。
【００３３】
仕切り部材２４は底面１２ａから天井面１１ａに至る長さの矩形の左右の縦仕切り部分４１、４２と、この左右の縦仕切り部分４１、４２の上端部分に掛け渡されており天井面１１ａから底面１２ａに向けて突出している矩形の横仕切り部分４３を備えている。
【００３４】
右側の縦仕切り部分４１は加湿水槽３０の右側の開口縁３０ｂよりも空気調整室１４の内側まで突出しており、左側の縦仕切り部分４２は加湿水槽３０の左側の開口縁３０ｃよりも空気調整室１４の内側まで突出している。横仕切り部分４３の上下方向の寸法、すなわち、横仕切り部分４３が天井面１１ａから底面１２ａ側に向けて突出している突出寸法Ｌ１は、加湿水槽３０の上端開口部３０ａから天井面１１ａまでの寸法Ｌに対して６０％±１５％の寸法になっている。
【００３５】
横仕切り部分４３の下半部分は、空気通過用の複数の貫通孔４４が形成されている孔開き領域４４ａとなっている。この孔開き領域４４ａは、横仕切り部分４３の下端から、突出寸法Ｌ１に対して６０％±１５％の寸法までの領域になっている。また、孔開き領域４４ａの開口率は５０％となっている。各貫通孔４４の直径は５ｃｍ±２ｃｍである。
【００３６】
再び図１に戻り説明すると、封鎖板２５は、矩形の平板であり、背面部分６ａと加湿水槽３０の背面部分６ａ側の端面との間に形成されている略直方体形状の空間Ａを上から封鎖するように取り付けられている。封鎖板２５の左右の両端は左右の側面部分７ａ、８ａに当接している。
【００３７】
（仕切り部および封鎖板の機能）
図３（ａ）は空気調整室の内部の構成を模式的に示す斜視図である。図３（ｂ）は図３（ａ）を左右の縦仕切り部分を通過する平面で切断した概略水平断面図であり、図３（ｃ）は図３（ａ）を左右の中央位置で切断した概略縦断面図である。いずれも左側の図が仕切り部および封鎖板が設けられていない状態であり、右側の図が仕切り部および封鎖板が設けられた状態を示している。図中の矢印は空気の流れを示している。
【００３８】
仕切り部材２４および封鎖板２５を備えていない場合には、図３（ｂ）の左側の図に示すように、空気吸込口２から勢いよく吸い込まれて温度調整部を通過した空気の一部は背面部分６ａに衝突した後に左右の側面部分７ａ、８ａに沿って前面部分５ａの側に戻り、大きな渦流を形成してしまう。このため、空気の一部は逆流して蒸発器２１および加熱器２２まで達する。
【００３９】
また、図３（ｃ）の左側の図に示されるように、空気吸込口２から勢いよく吸い込まれた空気の一部は天井面１１ａ側を通過してしまうので、加湿器２３によって十分に加湿されることなく連通口１６から吹き出されてしまう。さらに、加湿水槽３０と背面部分６ａとの間に形成されている空間Ａに空気が回り込んでしまうので、空気調整室１４内に気流の乱れが発生してしまう。
【００４０】
これに対して、仕切り部材２４および封鎖板２５を設けた場合には、図３（ｂ）の右側の図に示すように、温度調整された後の空気は左右の縦仕切り部分４１、４２によって空気調整室１４の内側に案内されて、加湿器２３の加湿水槽３０の上面開口部３０ａを通過する。
【００４１】
また、背面部分６ａに衝突した後に左右の側面部分７ａ、８ａに沿って前面部分５ａの側に戻ろうとする空気は左右の縦仕切り部分４１、４２にぶつかって背面部分６ａ側へと戻るので、空気調整室１４内において大きな渦流が形成されることがない。この結果、加湿器２３を通過して湿度調整された空気が、再び蒸発器２１および加熱器２２の側まで逆流してしまうことがないので、前面部分５ａから温度調整部および湿度調整部を経由して連通口１６に向かう空気の流れが乱されることが防止あるいは抑制される。従って、温度および湿度の制御精度を向上させることができる。
【００４２】
また、仕切り部材２４は、蒸発器２１および加熱器２２と加湿器２３との間に設けられているので、加湿器２３を経由した後の空気が再び蒸発器２１および加熱器２２の側へ戻ってしまうことを防止できる。温度および湿度調整後の空気が調整前の空気と入り混じってしまうことを抑制できるので、大風量の空気を供給する場合でも、温度および湿度の制御精度を向上させることができる。
【００４３】
さらに、図３（ｃ）に示すように、温度調整後の空気は横仕切り部分４３によって底面１２ａ側へと案内されて加湿水槽３０の上端開口部３０ａ付近を通過する。ここで、横仕切り部分４３の突出寸法Ｌ１は、加湿水槽３０の上端開口部３０ａから天井面１１ａまでの寸法に対して６０％±１５％の寸法になっているので、温度調整後の空気が加湿水槽３０近傍を通過することなく連通口１６に向かってしまうことを防止できる。また、空気流路が上下に蛇行するので加湿器２３によって加湿が行われる空気の流路部分が長くなる。この結果、加湿器２３によって十分な加湿を行うことができるとともに、湿度の制御精度を向上させることができる。
【００４４】
さらに、また、横仕切り部分４３の下半部分は、複数の貫通孔４４が形成されている孔開き領域４４ａとなっている。従って、大風量の空気を供給することが要求される場合には、空気吸込口２から勢いよく吸い込まれて温度調整された後の空気の一部は、点線の矢印で示すように、これら貫通孔４４を通過して、湿度調整部の側に侵入することができる。
【００４５】
ここで、孔開き領域４４ａの面積が広すぎる場合、あるいは孔開き領域４４ａの開口率が高すぎる場合には、加湿水槽３０へ案内される空気の流れが小さくなり、十分な加湿を行うことが困難になる。一方、孔開き領域４４ａの開口率が低すぎる場合には、大風量の空気を流通させることが困難になる。本例では、孔開き領域４４ａは、横仕切り部分４３の突出寸法Ｌ１に対して横仕切り部分４３の下端から６０％±１５％の寸法Ｌ２までの領域になっており、孔開き領域４４ａの開口率は５０％となっているので、加湿器２３によって加湿を精度よく行うことができるとともに、大風量の要求にも対応することができる。
【００４６】
また、貫通孔４４の直径が小さい場合には、各貫通孔４４を通過する空気の流れが悪くなるので、各貫通孔４４の直径は５ｃｍ±２ｃｍとしてある。
【００４７】
これらの結果、仕切り部材２４によって空気調整室１４内が部分的に仕切られており流路面積が小さくなっていても、大風量で空気を供給するという要求に対応することができる。本例によれば、例えば、２０ｍ3／ｍｉｎ程の大風量で空気を供給する場合でも、温度および湿度を精度よく制御することができる。
【００４８】
また、空間Ａを上から封鎖する封鎖板２５が取り付けられているので、空間Ａに空気が回り込んでしまうことがない。この結果、空気調整室１４内の気流の乱れを防止あるいは抑制することができるので、加湿器２３によって湿度を精度よく調整することができる。
【００４９】
（仕切り部材の変形例）
図４は横仕切り部分４３の背面部分６ａ側から見た平面形状を変更したものである。図４（ａ）に示す仕切り部材２４Ａでは、横仕切り部分４３の中央部分の突出量を、左右の縦仕切り部分４１、４２に連続している両端部分の突出量よりも大きくしている。加湿水槽３０へ案内される空気が少ない場合にこのような形状を採用すれば、加湿水槽３０へ向かう空気の流量が増える。従って、十分な加湿を行うことができる。
【００５０】
また、図４（ｂ）に示す仕切り部材２４Ｂでは、横仕切り部分４３の中央部分の突出量を、左右の縦仕切り部分４１、４２に連続している両端部分の突出量よりも小さくしている。加湿水槽３０へ案内される空気の流量が多すぎて空気の流れがスムーズでない場合にこのような形状を採用すれば、空気が加湿水槽３０の上方を通過して連通口１６に向うことができる。従って、大風量の要求に対応することができる。
【００５１】
図５は仕切り部材２４を立体的な形状に変形した変形例である。図５（ａ）に示す仕切り部材２４Ｃのように、横仕切り部分４３の形状を、空気の流れ方向に直交する方向に対して下流側に傾斜している第１斜面４３ａを備える形状にすることができる。例えば、一つの側面が天井面１１ａに当接するように横向きに配置されている三角柱形状にすれば、第１斜面４３ａによって温度調整部を通過した後の空気を横仕切り部分４３に正面衝突させることなく底面１２ａの加湿器２３に向けて案内することができるので、空気調整室１４内における気流の乱れが少ない。
【００５２】
また、図５（ｂ）に示す仕切り部材２４Ｄのように、左右の縦仕切り部分４１、４２の形状を、空気の流れ方向に直交する方向に対して下流側に傾斜している第２傾斜面４１ａ、４２ａを備える形状とすることができる。例えば、一つの側面が側面部分７ａ、８ａに当接するように取付けられている三角柱形状とすれば、第２傾斜面４１ａ、４２ａによって、温度調整部を通過した後の空気を縦仕切り部材２４に正面衝突させることなく加湿水槽３０の上端開口部３０ａに向けて案内することができるので、空気調整室１４内における気流の乱れが少ない。
【００５３】
さらに、仕切り部材２４は、図５（ａ）の横仕切り部分４３と図５（ｂ）の縦仕切り部分４１、４２とを備えた形状にすることもできる。この場合には、第１斜面と第２斜面とが段差なく連続するように構成すればよい。
【００５４】
なお、いずれの形状を採用した場合でも、横仕切り部分４３には、空気通過用の複数の貫通孔４４を形成しておくことができる。
【００５５】
また、上記の空気調和機１では空気調整室１４から温度および湿度が調整された空気を吹き出す空気吹出口は連通口１６として上の区画板１１の背面部分６ａ近傍の部位に形成されていたが、空気吹出口が背板６に形成されている構成の空気調和機に本発明を適用することもできる。例えば、図６に示すように、送風機室１３を備えておらず、空気吹出口１６Ａの直前にプロペラファン２０Ａ等の送風機を設けた構成の空気調和機１Ａに適用することができる。
【図面の簡単な説明】
【００５６】
【図１】本発明を適用した空気調和機の斜視図である。
【図２】空気調整室内の加湿器および仕切り部を背面部分側から見た平面図である。
【図３】（ａ）は仕切り部および封鎖板を設ける前後における空気調整室の斜視図であり、（ｂ）は（ａ）の空気調整室の概略水平断面図であり、（ｃ）は（ａ）の空気調整室の概略縦断面図である。
【図４】（ａ）、（ｂ）は横仕切り部分の平面形状の変形例を示す平面図である。
【図５】（ａ）、（ｂ）は仕切り部の形状の変形例を示す斜視図である。
【図６】空気吹出口が空気調整室の背面部分に形成されている構成の空気調和機に本発明を適用した例である。
【符号の説明】
【００５７】
１、１Ａ  空気調和機
２  空気吸込口
３  空気供給口
４  筐体
５  前板
５ａ  前面部分
６  背板
６ａ  背面部分
７  、８  側板
７ａ、８ａ  側面部分
９  天井板
１０  底板
１１、１２  区画板
１１ａ  天井面
１２ａ  底面
１３  送風機室
１４  空気調整室
１５  機械室
１６  連通口（空気吹出口）
２０  シロッコファン
２１  蒸発器
２２  加熱器
２３  加湿器
２４、２４Ａ、２４Ｂ、２４Ｃ、２４Ｄ  仕切り部材
２５  封鎖板
２６  制御装置
２９  温度湿度センサ
３０  加湿水槽
４１、４２  縦仕切り部分
４１ａ、４２ａ  第２斜面
４３  横仕切り部分
４３ａ  第１斜面
４４  貫通孔
４４ａ  孔開き領域
Ａ  加湿器と背面部分との間の空間
【図１】
2009063242.tif 000003
【図２】
2009063242.tif 000004
【図３】
2009063242.tif 000005
【図４】
2009063242.tif 000006
【図５】
2009063242.tif 000007
【図６】
2009063242.tif 000008